(57)【要約】【課題】レドームへの着雪が効率的に抑制できるようにする。【解決手段】レドーム着雪抑制装置１０Ａは、上端部１２Ａが固定されたすだれ部１４Ａと、すだれ部１４Ａに重みを付加する重み付加部１６Ａと、を備える。【選択図】      図１
2010157948.tif 000002
【特許請求の範囲】
【請求項１】
上端部が固定されるすだれ部と、
前記すだれ部に重みを付加する重み付加部と、を備えることを特徴とするレドーム着雪抑制装置。
【請求項２】
前記重み付加部は、前記すだれ部に装着した重りであることを特徴とする請求項１に記載のレドーム着雪抑制装置。
【請求項３】
前記重み付加部は、前記すだれ部の一部を折り曲げて形成された重りであることを特徴とする請求項１又は２に記載のレドーム着雪抑制装置。
【請求項４】
複数の前記重み付加部は、前記すだれ部の長さ方向における異なる位置に設けられていることを特徴とする請求項１乃至３のいずれか１項に記載のレドーム着雪抑制装置。
【請求項５】
前記重み付加部は、前記すだれ部の下端部に設けられていることを特徴とする請求項１乃至３のいずれか１項に記載のレドーム着雪抑制装置。
【請求項６】
複数の前記重み付加部のうちの少なくとも１つの前記重み付加部の重さが、他の前記重み付加部の重さと異なることを特徴とする請求項２乃至５のいずれか１項に記載のレドーム着雪抑制装置。
【請求項７】
複数の前記すだれ部が並設されると共に、少なくとも一部の前記すだれ部の下端部の高さ位置が、他の前記すだれ部の下端部の高さ位置と異なることを特徴とする請求項１乃至６のいずれか１項に記載のレドーム着雪抑制装置。
【請求項８】
複数の前記すだれ部が並設されると共に、前記すだれ部の並設の間隔が、所定の距離に設定されていることを特徴とする請求項１乃至７のいずれか１項に記載のレドーム着雪抑制装置。
【請求項９】
パラボラアンテナと、
前記パラボラアンテナに設けられたレドームと、
前記レドームに設けられた請求項１乃至８いずれか１項に記載のレドーム着雪抑制装置とを備えることを特徴とするアンテナ装置。
【請求項１０】
シート材にスリットを形成することによって、１つ以上の前記すだれ部を形成する手順と、
前記すだれ部に重みを付加する重み付加部を前記すだれ部に形成する手順とを含むことを特徴とするレドーム着雪抑制装置の製造方法。
【発明の詳細な説明】
【技術分野】
【０００１】
本発明は、レドームに雪が着雪するのを抑制するレドーム着雪抑制装置、その製造方法及びアンテナ装置に関する。
【背景技術】
【０００２】
パラボラアンテナの開口側に、覆いが設けられることがある。このような覆いは、レドームと称される。レドームの表面は略鉛直面なので、降雪時において、雪が常に着雪するものではない。しかし、吹雪のような場合には、雪がレドームに着雪することがある。レドームに多量の雪が着雪すると、着雪した雪によって電波強度の減衰が生じる。この電波強度の減衰は、通信障害の一因をなす。
【０００３】
そこで、一次放射器の開口等に、板状の複数の小片を設ける構成が提案されている（特許文献１参照）。この構成によれば、小片が、風に揺れることによって、レドームへの着雪が抑制できると共に、着雪した雪は、揺れる小片によって、払い除けられる。
【０００４】
また、主反射鏡の開口側にレドームを設け、このレドームを鉛直方向に切り裂いた構成が提案されている（特許文献２参照）。この構成によれば、切り裂かれたレドームが風に吹かれて揺れることによって、レドームへの着雪が抑制される。
【発明の概要】
【発明が解決しようとする課題】
【０００５】
しかしながら、上記特許文献１にかかる構成では、以下のような問題があった。
【０００６】
即ち、小片の下端部は固定されていないので、旗が風に靡くように、小片が揺れる。このとき、小片が大きく折れ曲がった状態となり、その下端側が上端側に付着することがある。また、小片が他の小片に付着することがある。さらに、小片が一次放射器の背面まで舞い上がり、一次放射器等に付着することがある。このように小片が折れ曲がって付着した状態では、小片は揺れに難くなると共に、折れ曲がった小片部分が覆っていたレドームは、風雪に直接曝される。従って、レドームへの着雪を効率よく抑制できないと共に、着雪した雪を効率よく払い除けることができなくなる。よって、着雪した雪によって、通信障害が発生することがあった。
【０００７】
一方、特許文献２にかかる構成では、レドームの全周はパラボラアンテナの外周をなすシールド筒に固定されている。従って、特許文献１にかかる構成のように、小片の下端側が上端側に付着してしまう等の事態は発生しない。しかし、レドームが切り裂かれているため、雪が切り裂いた部分からレドームと主反射鏡との間の空間内に吹き込むことがある。この吹き込んだ雪が堆積することによって、上述したような通信障害が発生することがあった。
【０００８】
本発明の目的は、上記課題を解決するレドーム着雪抑制装置、その製造方法及びアンテナ装置を提供することにある。
【課題を解決するための手段】
【０００９】
本発明のレドーム着雪抑制装置は、上端部が固定されるすだれ部と、すだれ部に重みを付加する重み付加部とを備えることを特徴とする。
【発明の効果】
【００１０】
本発明によれば、レドームへの着雪が効率的に抑制できる。
【図面の簡単な説明】
【００１１】
【図１】本発明の第１の実施形態におけるレドーム着雪抑制装置の正面図である。
【図２】本発明の第２の実施形態におけるパラボラアンテナの正面図である。
【図３】本発明の第２の実施形態におけるパラボラアンテナの側面図である。
【図４】本発明の第２の実施形態におけるレドーム着雪抑制装置の製造手順を示す図である。
【図５】本発明の第２の実施形態におけるレドーム着雪抑制装置の動きを説明する図で、（ａ）は重み付加部を備えていないすだれ部の下端部側が上端部側に付着した場合、（ｂ）は重み付加部を備えていないすだれ部がパラボラアンテナの背面まで舞い上がり付着した場合、（ｃ）は重み付加部を備えたすだれ部の場合の説明図である。
【図６】本発明の第３の実施形態におけるパラボラアンテナの正面図である。
【図７】本発明の第４の実施形態におけるパラボラアンテナの正面図である。
【図８】本発明の第５の実施形態におけるパラボラアンテナの正面図である。
【図９】本発明の第６の実施形態におけるパラボラアンテナの正面図である。
【図１０】本発明の第７の実施形態におけるすだれ部の側面図である。
【発明を実施するための形態】
【００１２】
本発明の第１の実施形態を図を参照して説明する。図１は、第１の実施形態にかかるレドーム着雪抑制装置の正面図である。このレドーム着雪抑制装置１０Ａは、上端部１２Ａが固定されるすだれ部１４Ａと、このすだれ部１４Aに重みを付加する重み付加部１６Ａとを備える。
【００１３】
すだれ部１４Ａは、風を受けて揺れるように形成されている。しかし、すだれ部１４Ａには重み付加部１６Ａが設けられているので、このすだれ部１４Ａが大きく揺れて、その下端部側が上端部側に付着する等の事態は起き難い。従って、時々刻々と変化する風の方向や強さに応じてすだれ部１４Ａが適度に揺れるようになって、レドームへの着雪が効率的に抑制できる。
【００１４】
次に、本発明の第２の実施形態を説明する。図２は、本実施形態にかかるパラボラアンテナ（アンテナ装置）２０の正面図であり、図３はその側面図である。パラボラアンテナ２０は、レドーム着雪抑制装置１０、レドーム２２、反射鏡２４、筒状部材２６を備える。筒状部材２６は、反射鏡２４の外周部に取り付けられている。また、レドーム２２は、筒状部材２６の開口に設けられている。レドーム２２は、電波を透過する材料によって形成されている。
【００１５】
レドーム着雪抑制装置１０は、複数のすだれ部１４及び複数の重み付加部１６を備える。
【００１６】
すだれ部１４は、レドーム２２と同様に電波が透過できる材料で形成されている。また、すだれ部１４の長さ方向の寸法は、レドーム２２の直径より適宜長い寸法に設定されている。これによって、レドーム着雪抑制装置１０をレドーム２２に取り付けた際には、すだれ部１４の下端部はレドーム２２の下側半円端部から飛び出した状態となる。従って、風が反射鏡２４からレドーム２２に向かうような方向の風であっても、すだれ部１４は揺れるようになって、着雪した雪を払い除けることができる。
【００１７】
このような、すだれ部１４は、上端部１２において、レドーム２２に接した状態で、半円状の取り付け金具２８によって、筒状部材２６の上部に固定される。図２等に示すボルト２９は、すだれ部１４に設けられた固定穴２１を挿通して、取り付け金具２８を抑えることにより、すだれ部１４を筒状部材２６に固定する。
【００１８】
重み付加部１６は、すだれ部１４が地表面方向（図２、図３において紙面下方向）に垂れ下がるように、このすだれ部１４に荷重を付与する。これによって、すだれ部１４の揺れ度合いが抑制される。このような重み付加部１６は、ポケット等の重り収納部１７を備え、この重り収納部１７に鉄片及び樹脂片等の重り１９が収納されている。なお、パラボラアンテナ２０の設置環境に応じて風の強弱や雪質等が異なるので、設置環境を考慮して、重り１９の重さは選択して用いられる。
【００１９】
次に、このようなレドーム着雪抑制装置１０の製造方法を図２〜図４を参照して説明する。まず、すだれ部１４の素材であるシート材を準備する（ステップＳ１）。このシート材は、先に説明したようにレドーム２２と同様に電波を透過させる部材である。そして、シート材の一端はレドーム２２の外周形状に対応する半円状であり、他端は矩形状とする。
【００２０】
次に、シート材の半円状端部の近傍に固定穴２１を形成する（ステップＳ２）。この固定穴２１は、すだれ部１４を固定する際に、ボルト２９が挿通する貫通穴である。
【００２１】
その後、このシート材に複数のスリット１８を形成する（ステップＳ３）。スリット１８は、シート材における半円状端部の内側所定位置から矩形状端部を通過するように形成する。スリット１８の形成により、複数のすだれ部１４が形成される。このとき、シート材における半円状端部の内側所定位置からスリット１４を形成するため、複数のすだれ部１４は、この半円状端部領域、即ち上端部１２で繋がった状態となる。
【００２２】
そして、すだれ部１４に重り収納部１７を形成することによって重み付加部１６が形成される（ステップＳ４）。この重み付加部１６には、パラボラアンテナ２０の設置環境に応じて選択された重り１９が収納される。
【００２３】
なお、予めシート材に重み付加部１６を形成し、その後にスリット１８を設けても良い。このように、シート材にスリット１８を形成することにより、すだれ部１４が容易に形成できるので、製造コストは安価となる。
【００２４】
次に、このような構成のレドーム着雪抑制装置１０の動きを図５を参照して説明する。図５（ａ）及び図５（ｂ）は、重み付加部１６を備えないレドーム着雪抑制装置の動きを例示している。図５（ｃ）は、重み付加部１６を備えたレドーム着雪抑制装置の動きを例示している。すだれ部１４が風に煽られて揺れることにより、レドーム２２への着雪が防止でき、また着雪した雪が払い除けられる。このとき、すだれ部１４の揺れが大きいと、すだれ部１４の下端部側が上端部側に付着したり（図５（ａ））、すだれ部１４が他のすだれ部１４に付着したり、あるいはすだれ部１４がパラボラアンテナ２０の背面まで舞い上がり付着する（図５（ｂ））等が発生する。
【００２５】
重み付加部１６は重く、その慣性モーメントも大きい。このため、風によりすだれ部１４が大きく舞い上がろうとすると、重み付加部１６の重みによって、この舞い上がりが抑えられる。これによりすだれ部１４は、風をやり過ごすように、捻れる（図５（ｃ））。即ち、重み付加部１６が存在することにより、すだれ部１４の舞い上がりが抑制されると共に、すだれ部１４の捻れが大きくなる。そして、重み付加部１６の慣性モーメントが大きいので、すだれ部１４の捻れ運動は直ぐに止まらず、捻れ方向Ｒを変えながら運動を継続する。従って、重み付加部１６の重みにより、すだれ部１４が大きく舞い上がって、図５（ａ）や図５（ｂ）の状態になり難くなる。また、重み付加部１６の慣性モーメントにより、すだれ部１４が捻れ運動を繰り返すので、雪質がべた雪であっても、着雪の抑制及び着雪した雪の払い除けが効率的に行うことができる。
【００２６】
次に、本発明の第３の実施形態を説明する。図６は、本第３の実施形態におけるパラボラアンテナの正面図である。なお、第１及び第２の実施形態と同一構成に関しては同一符号を用いて説明を適宜省略する。前述した実施形態においては、複数のすだれ部の下端部を一様な高さに設定したレドーム着雪抑制装置について説明した。しかし、本発明は、これに限定されない。
【００２７】
例えば図６に示すように、レドーム着雪抑制装置１０Ｂは、レドーム２２の外周に概ね沿うように形成された高さ（長さ）のすだれ部１４Ｂを備える。そして、少なくとも一部のすだれ部１４Ｂの下端部の高さ位置は、隣接するすだれ部１４Ｂの下端部の高さ位置と異なる高さに設定されている。具体的には、すだれ部１４Ｂの下端は、レドーム２２の下側半円の端部より地表面側に所定量だけはみ出し、かつ、この下側半円の端部に概ね沿うように設けられている。なお、他の構成は第１及び第２の実施形態と同じである。
【００２８】
このように、すだれ部１４Ｂの長さを短くしたので、シート材の使用量を削減しながら、効率的に着雪が抑制できると共に、着雪した雪を効率的に払い除けることができるようになる。
【００２９】
次に、本発明の第４の実施形態を説明する。図７は、本第４の実施形態におけるパラボラアンテナの正面図である。なお、前述の各実施形態と同一構成に関しては同一符号を用いて説明を適宜省略する。前述した実施形態においては、１枚のシート材にスリットを入れることによりすだれ部を形成した。このとき、図２に示したように複数のすだれ部１４は、上端部１２で互いに繋がっていた。しかし、図７に示すように、個々のすだれ部１４Ｃの上端部１２Ｃを分離した構成であってもよい。
【００３０】
図７に示すように、レドーム着雪抑制装置１０Ｃの各すだれ部１４Ｃは、それぞれ独立している。そして、各すだれ部１４Ｃは、それぞれ独立して筒状部材に取り付けられる。このような構成によっても、風によりすだれ部１４Ｃが揺れるので、レドーム２２への着雪が抑制できる。
【００３１】
次に、本発明の第５の実施形態を説明する。図８は、本第５の実施形態におけるパラボラアンテナの正面図である。なお、前述の各実施形態と同一構成に関しては同一符号を用いて説明を適宜省略する。前述の各実施の形態では、例えば図２に示したように、重み付加部１６をすだれ部１４の下端部に設けていた。しかし、図８に示すように、レドーム着雪抑制装置１０Ｄは、すだれ部１４Ｄの下端部以外の場所に重み付加部１６Ｄを備えていてもよい。図８に示す構成では、重み付加部１６Ｄの位置より上側のすだれ部１５ａ（１４Ｄ）は、下側のすだれ部１５ｂ（１４Ｄ）より風に揺れに難くなる。従って、上側のすだれ部１５ａによってレドーム２２への着雪が抑制できる。また、下側のすだれ部１５ｂの揺れが上側のすだれ部１５ａを揺らすことによって、着雪した雪が払い除けられる。
【００３２】
次に、本発明の第６の実施形態を説明する。図９は、本第６の実施形態におけるパラボラアンテナの正面図である。なお、前述の各実施形態と同一構成に関しては同一符号を用いて説明を適宜省略する。例えば第２の実施形態では、図２に示すように、隣接するすだれ部１４に設けた重み付加部１６の位置は同じ位置であった。しかし、図９に示すように、隣接するすだれ部１４Ｅに設ける重み付加部１６Ｅの位置が異なる高さであってもよい。
【００３３】
図９に示すように、レドーム着雪抑制装置１０Ｅでは、すだれ部１４Ｅの概ね中央に重み付加部２３ａ（１６Ｅ）が設けられ、隣接するすだれ部１４の下端側に重み付加部２３ｂ（１６Ｅ）が設けられている。従って、一様な風が複数のすだれ部１４Ｅに吹き当たっても、すだれ部１４Ｅ毎に揺れが異なるので、着雪した雪は効率的に払い除けることができる。
【００３４】
次に、本発明の第７の実施形態を説明する。図１０は、本第７の実施形態におけるすだれ部の側面図である。なお、前述の各実施形態と同一構成に関しては同一符号を用いて説明を適宜省略する。前述の各実施形態では、重りとして鉛片、鉄片及び樹脂片等を例示した。
【００３５】
しかし、図１０に示すように、すだれ部１４Ｆの下端部の一部を折り曲げることにより、重み付加部１６Ｆを形成したレドーム着雪抑制装置１０Ｆでもよい。なお、折り曲げ状態は、丸め込み状態や折り返し状態を含んでいる。そして、折り曲げ回数を変えることにより、所望する重さに調整する。無論、折り曲げる位置は、すだれ部１４Ｆの下端部に限定されず、例えば図８に相当するような、すだれ部の中間位置等であっても良い。
【００３６】
以上説明したように、本発明によれば、重み付加部によりレドームへの着雪が効率的に抑制できるようになる。    
【符号の説明】
【００３７】
１０，１０Ａ，１０Ｂ，１０Ｃ，１０Ｄ，１０Ｅ，１０Ｆ  レドーム着雪抑制装置
１６，１６Ａ，１６Ｄ，１６Ｅ，１６Ｆ  重み付加部
１７  重り収納部
１８  スリット
２０  パラボラアンテナ（アンテナ装置）
２２  レドーム
【先行技術文献】
【特許文献】
【００３８】
【特許文献１】特開昭５８−１８４８０３号公報
【特許文献２】特開平７−１４７５１０号公報
【図１】
2010157948.tif 000003
【図２】
2010157948.tif 000004
【図３】
2010157948.tif 000005
【図４】
2010157948.tif 000006
【図５】
2010157948.tif 000007
【図６】
2010157948.tif 000008
【図７】
2010157948.tif 000009
【図８】
2010157948.tif 000010
【図９】
2010157948.tif 000011
【図１０】
2010157948.tif 000012